(57)【要約】【課題】複数人がかかわる活動に関する活動記録文書を作成する場合に、活動記録作成に要するコストを低減する。【解決手段】人とその活動の対象の位置情報を取得する位置情報取得部１１と、人とその活動の対象とが所定の関係にあることを示す接触情報を検出する接触情報検出部１２と、活動記録を作成する対象の人を識別する符号と、前記活動記録の対象時間を取得する活動記録対象取得部１３１と、活動記録を作成する対象の人に関し、活動記録の対象時間に発生した接触情報を表すデータを、活動記録として生成する活動記録生成部１３２と、活動の対象である人に関する活動記録が存在する場合に、その活動記録である対象人物活動記録を取得する対象人物活動記録取得部１３３を備え、活動記録生成部１３２は、活動記録の活動の対象の人が活動記録の対象である人の対象人物活動記録、またはその対象人物活動記録を参照する情報を活動記録に含める。【選択図】図１
2010026688.tif 000002
【特許請求の範囲】
【請求項１】
人とその活動の対象の位置情報を取得する位置情報取得手段と、
人とその活動の対象とが所定の関係にある場合に、その人と活動の対象とが所定の関係にあったことを示す接触情報と、その所定の関係が発生した日時を検出する接触情報検出手段と、
活動記録を作成する対象の人を識別する符号と、前記活動記録の対象時間を取得する活動記録対象取得手段と、
前記活動記録を作成する対象の人に関する前記接触情報検出手段で検出した前記接触情報であって、前記活動記録の対象時間に発生した接触情報とその発生日時を表すデータを、前記活動記録を作成する対象の人に関連づけた活動記録として生成する活動記録生成手段と、
前記活動の対象が人であって、該活動の対象である人に関する前記活動記録が存在する場合に、その活動記録である対象人物活動記録を取得する対象人物活動記録取得手段を備え、
前記活動記録生成手段は、前記活動記録の活動の対象の人が活動記録の対象である人の前記対象人物活動記録、またはその対象人物活動記録を参照する情報を前記活動記録に含めることを特徴とする活動記録作成システム。
【請求項２】
前記活動記録を変更するデータを入力する編集入力手段を備え、
前記活動記録生成手段は、前記編集入力手段で入力されたデータを前記活動記録に加えることを特徴とする請求項１に記載の活動記録作成システム。
【請求項３】
前記位置情報取得手段は、人または物の通常存在する位置を検出し、
前記接触情報検出手段は、人とその活動の対象が人同士または人と物のそれぞれの場合に、それらに関わる両者がともに通常存在する位置にある場合に、その位置情報を前記接触情報の対象から除外することを特徴とする請求項１または２に記載の活動記録作成システム。
【請求項４】
人が遠隔通信を行っていることと、その通信の相手を検出する通信取得手段を備え、
前記接触情報検出手段は、前記通信取得手段で検出した人とその遠隔通信の相手とを前記接触情報として検出することを特徴とする請求項１ないし３のいずれか１項に記載の活動記録作成システム。
【請求項５】
前記接触情報検出手段は、人とその活動の対象である物または場所とが所定の関係にある場合に、その活動の対象と所定の関係にあった人と、前記活動の対象と所定の関係にある人とを関連づける前記接触情報を検出することを特徴とする請求項１ないし４のいずれか１項に記載の活動記録作成システム。
【請求項６】
前記接触情報検出手段は、前記活動の対象が人である場合に、人と人とが会話が可能な状態であって、その会話が可能な状態が所定の時間以上継続した場合に、その人と人との前記接触情報を検出することを特徴とする請求項１ないし５のいずれか１項に記載の活動記録作成システム。
【請求項７】
前記接触情報検出手段は、前記活動の対象が物である場合に、人の視線の方向がその物の方に所定の時間以上継続して向いたことを検出した場合、または人がその物に触れたことを検出した場合に、その人とその物との前記接触情報を検出することを特徴とする請求項１ないし６のいずれか１項に記載の活動記録作成システム。
【請求項８】
前記接触情報検出手段は、前記活動の対象が場所である場合に、人がその場所に入ったことを検出した場合、または人がその場所の所定の近傍に所定の時間以上継続して居ることを検出した場合に、その人とその場所との前記接触情報を検出することを特徴とする請求項１ないし７のいずれか１項に記載の活動記録作成システム。
【請求項９】
人とその活動の対象の位置情報を取得する位置情報取得ステップと、
人とその活動の対象とが所定の関係にある場合に、その人と活動の対象とが所定の関係にあったことを示す接触情報と、その所定の関係が発生した日時を検出する接触情報検出ステップと、
活動記録を作成する対象の人を識別する符号と、前記活動記録の対象時間を取得する活動記録対象取得ステップと、
前記活動記録を作成する対象の人に関する前記接触情報検出ステップで検出した前記接触情報であって、前記活動記録の対象時間に発生した接触情報とその発生日時を表すデータを、前記活動記録を作成する対象の人に関連づけた活動記録として生成する活動記録生成ステップと、
前記活動の対象が人であって、該活動の対象である人に関する前記活動記録が存在する場合に、その活動記録である対象人物活動記録を取得する対象人物活動記録取得ステップを備え、
前記活動記録生成ステップは、前記活動記録の活動の対象の人が活動記録の対象である人の前記対象人物活動記録、またはその対象人物活動記録を参照する情報を前記活動記録に含めることを特徴とする活動記録作成方法。
【請求項１０】
前記活動記録を変更するデータを入力する編集入力ステップを備え、
前記活動記録生成ステップは、前記編集入力ステップで入力されたデータを前記活動記録に加えることを特徴とする請求項９に記載の活動記録作成方法。
【請求項１１】
前記位置情報取得ステップは、人または物の通常存在する位置を検出し、
前記接触情報検出ステップは、人とその活動の対象が人同士または人と物のそれぞれの場合に、それらに関わる両者がともに通常存在する位置にある場合に、その位置情報を前記接触情報の対象から除外することを特徴とする請求項９または１０に記載の活動記録作成方法。
【請求項１２】
人が遠隔通信を行っていることと、その通信の相手を検出する通信取得ステップを備え、
前記接触情報検出ステップは、前記通信取得ステップで検出した人とその遠隔通信の相手とを前記接触情報として検出することを特徴とする請求項９ないし１１のいずれか１項に記載の活動記録作成方法。
【請求項１３】
前記接触情報検出ステップは、人とその活動の対象である物または場所とが所定の関係にある場合に、その活動の対象と所定の関係にあった人と、前記活動の対象と所定の関係にある人とを関連づける前記接触情報を検出することを特徴とする請求項９ないし１２のいずれか１項に記載の活動記録作成方法。
【請求項１４】
前記接触情報検出ステップは、前記活動の対象が人である場合に、人と人とが会話が可能な状態であって、その会話が可能な状態が所定の時間以上継続した場合に、その人と人との関接触情報を検出することを特徴とする請求項９ないし１３のいずれか１項に記載の活動記録作成方法。
【請求項１５】
前記接触情報検出ステップは、前記活動の対象が物である場合に、人の視線の方向がその物の方に所定の時間以上継続して向いたことを検出した場合、または人がその物に触れたことを検出した場合に、その人とその物との前記接触情報を検出することを特徴とする請求項９ないし１４のいずれか１項に記載の活動記録作成方法。
【請求項１６】
前記接触情報検出ステップは、前記活動の対象が場所である場合に、人がその場所に入ったことを検出した場合、または人がその場所の所定の近傍に所定の時間以上継続して居ることを検出した場合に、その人とその場所との前記接触情報を検出することを特徴とする請求項９ないし１５のいずれか１項に記載の活動記録作成方法。
【請求項１７】
コンピュータを、
人とその活動の対象の位置情報を取得する位置情報取得手段と、
人とその活動の対象とが所定の関係にある場合に、その人と活動の対象とが所定の関係にあったことを示す接触情報と、その所定の関係が発生した日時を検出する接触情報検出手段と、
活動記録を作成する対象の人を識別する符号と、前記活動記録の対象時間を取得する活動記録対象取得手段と、
前記活動記録を作成する対象の人に関する前記接触情報検出手段で検出した前記接触情報であって、前記活動記録の対象時間に発生した接触情報とその発生日時を表すデータを、前記活動記録を作成する対象の人に関連づけた活動記録として生成する活動記録生成手段と、
前記活動の対象が人であって、該活動の対象である人に関する前記活動記録が存在する場合に、その活動記録である対象人物活動記録を取得する手段、
として機能させ、
前記活動記録生成手段は、前記活動記録の活動の対象の人が活動記録の対象である人の前記対象人物活動記録、またはその対象人物活動記録を参照する情報を前記活動記録に含める、
ことを特徴とする活動記録作成プログラム。
【発明の詳細な説明】
【技術分野】
【０００１】
本発明は、日々の活動内容を記述する活動記録の作成に関する。
【背景技術】
【０００２】
通常、日報や日記等の日々の活動内容を記述する文書の作成は、当日の活動終了時以降に行われる。この場合、文書作成者は、活動時に作成したメモ書き等を参照しながら、自分の過去の行動を思い返しながら文書作成を行う必要があり、作成に時間がかかる。なお、以下の記述では、上述したような日々の活動内容を記述する文書のことを活動記録文書という。
【０００３】
特許文献１には、外出して業務を行う従業員の日報の作成を容易にするシステムが記載されている。特許文献１に記載の技術は、携帯端末で所定時間間隔毎に検出した位置データとその時刻データ等を送信し、ホスト端末において携帯端末を携帯するユーザ等の滞在地が変わる毎にその位置データと時刻データ等を蓄積し、日報として端末でそれらのデータの表示ができるようにしたので、ユーザは表示されたそれぞれの滞在地で行った業務内容を入力するだけで日報の作成ができる。
【０００４】
位置を検出することに関連して、端末の座標ではなく端末同士の相対的な位置関係を測定することにより、測定機器の座標誤差が測位精度に影響を及ぼさず、また一度の測定で多数の端末の位置関係を把握できるシステムの技術が特許文献２に記載されている。
【０００５】
また、 複数の監視対象の位置を同時に判定し、監視対象領域を自由に指定し、出入り口が存在しない場合でも適用可能で、高精度で位置を判定可能な技術が特許文献３に記載されている。特許文献３の技術は、監視対象に各々取り付けられ、あるいは、携帯されて、インパルス状の電波を出力する送信器と、送信器から出力された電波を受信する複数の受信器と、複数の受信器に各々信号伝送特性が等しいケーブルを介して接続され、ケーブルを介して伝送された複数の受信器の出力信号に基づいて、送信器が監視対象空間内のいずれの位置に存在するかを判別する位置判定装置とを備える。
【特許文献１】特開平１０−２６０９９４号公報
【特許文献２】特開２００４−２３３１７６号公報
【特許文献３】特開２００７−０５７２３２号公報
【発明の開示】
【発明が解決しようとする課題】
【０００６】
しかしながら、関連する技術では、記録文書作成者それぞれを単独でサポートするものであり、仮に２人以上の記録文書作成者が同じ活動に対する活動記録文書を作成していたとしても、その内容を有効活用することができない。
【０００７】
本発明は上述した事情に鑑みてなされたもので、ある活動に複数人がかかわっており、その活動内容に関する活動記録文書を作成する場合に、活動記録作成に要するコストを低減するすることを目的とする。
【課題を解決するための手段】
【０００８】
本発明の第１の観点に係る活動記録作成システムは、
人とその活動の対象の位置情報を取得する位置情報取得手段と、
人とその活動の対象とが所定の関係にある場合に、その人と活動の対象とが所定の関係にあったことを示す接触情報と、その所定の関係が発生した日時を検出する接触情報検出手段と、
活動記録を作成する対象の人を識別する符号と、前記活動記録の対象時間を取得する活動記録対象取得手段と、
前記活動記録を作成する対象の人に関する前記接触情報検出手段で検出した前記接触情報であって、前記活動記録の対象時間に発生した接触情報とその発生日時を表すデータを、前記活動記録を作成する対象の人に関連づけた活動記録として生成する活動記録生成手段と、
前記活動の対象が人であって、該活動の対象である人に関する前記活動記録が存在する場合に、その活動記録である対象人物活動記録を取得する対象人物活動記録取得手段を備え、
前記活動記録生成手段は、前記活動記録の活動の対象の人が活動記録の対象である人の前記対象人物活動記録、またはその対象人物活動記録を参照する情報を前記活動記録に含めることを特徴とする。
【０００９】
本発明の第２の観点に係る活動記録作成方法は、
人とその活動の対象の位置情報を取得する位置情報取得ステップと、
人とその活動の対象とが所定の関係にある場合に、その人と活動の対象とが所定の関係にあったことを示す接触情報と、その所定の関係が発生した日時を検出する接触情報検出ステップと、
活動記録を作成する対象の人を識別する符号と、前記活動記録の対象時間を取得する活動記録対象取得ステップと、
前記活動記録を作成する対象の人に関する前記接触情報検出ステップで検出した前記接触情報であって、前記活動記録の対象時間に発生した接触情報とその発生日時を表すデータを、前記活動記録を作成する対象の人に関連づけた活動記録として生成する活動記録生成ステップと、
前記活動の対象が人であって、該活動の対象である人に関する前記活動記録が存在する場合に、その活動記録である対象人物活動記録を取得する対象人物活動記録取得ステップを備え、
前記活動記録生成ステップは、前記活動記録の活動の対象の人が活動記録の対象である人の前記対象人物活動記録、またはその対象人物活動記録を参照する情報を前記活動記録に含めることを特徴とする。
【００１０】
本発明の第３の観点に係る活動記録作成プログラムは、
コンピュータを、
人とその活動の対象の位置情報を取得する位置情報取得手段と、
人とその活動の対象とが所定の関係にある場合に、その人と活動の対象とが所定の関係にあったことを示す接触情報と、その所定の関係が発生した日時を検出する接触情報検出手段と、
活動記録を作成する対象の人を識別する符号と、前記活動記録の対象時間を取得する活動記録対象取得手段と、
前記活動記録を作成する対象の人に関する前記接触情報検出手段で検出した前記接触情報であって、前記活動記録の対象時間に発生した接触情報とその発生日時を表すデータを、前記活動記録を作成する対象の人に関連づけた活動記録として生成する活動記録生成手段と、
前記活動の対象が人であって、該活動の対象である人に関する前記活動記録が存在する場合に、その活動記録である対象人物活動記録を取得する手段、
として機能させ、
前記活動記録生成手段は、前記活動記録の活動の対象の人が活動記録の対象である人の前記対象人物活動記録、またはその対象人物活動記録を参照する情報を前記活動記録に含める、
ことを特徴とする。
【発明の効果】
【００１１】
本発明によれば、ある活動に複数人がかかわっており、その活動内容に関する活動記録を作成するような場合において、同じ活動にかかわっている他の人物の活動記録を有効活用することができ、活動記録作成に要するコストの低減を図ることができる。
【発明を実施するための最良の形態】
【００１２】
本発明で活動記録とは、ある人の活動に関する情報であって、いつ、どこで、なにを、だれと、なぜ、どうした、というような記録情報である。活動にはおよそ全ての行為と思考を含みうる。活動の対象は、およそすべてのことがらを含みうるが、本発明では特に、人または物、あるいは場所を活動の対象として捉える。活動の対象が人であるとは、その人となんらかの対話、または共同作業やゲームの対戦などなんらかの行為を行ったことをいう。活動の対象が物であるとは、その物が調査・研究、鑑賞、使用または加工などのなんらかの行為の対象であることをいう。活動の対象が場所であるとは、その場所がある行為または経験があった特定の場であることをいう。
【００１３】
活動の対象との接触とは、その対象についてある活動をしたことを推定させる事象をいう。例えば、ある人物の近くに一定時間以上いたこと、ある物に触れたこと、またはある場所に行ったことなどである。接触情報とは、接触の情報であって、時刻、位置、活動の対象となりうる人、物または場所の情報を含む。
【００１４】
以下、この発明の実施の形態について図面を参照しながら詳細に説明する。なお、図中同一または相当部分には同一符号を付す。なお、活動記録として文書を作成する場合について説明するが、文書には、音声、画像または映像等を含む。なお、活動記録はコンピュータ読み取り可能に表現された情報であり、活動記録文書は活動記録を人が知覚できる媒体（メディア）で表現できるものを指すが、明確に区別しないで用いる場合がある。また、活動記録文書は特に、活動の内容を表す情報を含む場合を指すことがある。
【００１５】
図１は、本発明の実施の形態に係る活動記録作成システム全体の構成例を示すブロック図である。活動記録作成システム１は、活動記録文書ＤＢ（Data Base）２とネットワークを介して、または、何らかの通信を介して接続する。活動記録文書作成システム１は、位置情報取得部１１と、接触情報検出部１２と、文書入力支援部１３と、文書作成部１４とを備える。文書入力支援部１３は、活動記録対象取得部１３１と、活動記録生成部１３２と、対象人物活動記録取得部１３３とを備える。また、検出した接触情報を保持するために、接触情報記憶部１５を備える。
【００１６】
文書作成部１４には、編集部４が接続している。編集部４は、表示部４１と入力部４２を備える。編集部４は、活動記録文書作成システム１に附属する装置の場合がある。また、編集部４は、活動記録文書作成システム１とは別の装置で、例えば、ネットワーク（図示せず）を経由して、活動記録文書作成システム１に接続する端末装置の場合もある。なお、図中には、説明のためにユーザを記載している。
【００１７】
位置情報取得部１１は、センサ３から人や物の位置情報を取得し、接触情報検出部１２へ伝える。センサ３で人や物の位置を検出するには、例えば、人が常に所持する社員証や名札やＩＤ（Identification）カード、および、職務上使用する文書もしくは書籍、または、ＰＣ（Personal Computer）、測定器もしくは商品、などにＲＦＩＤタグ（Radio Frequency Identification tag）を組み込んでおく。センサ３は、例えば、事務所や倉庫や工場や実験室等の所定の場所の所定の位置に、所定の間隔で設置されたＲＦＩＤリーダを備える。位置情報取得部１１に接続するＲＦＩＤリーダは、所定の時間間隔でＲＦＩＤタグを検知する。ＲＦＩＤタグを検出すると、その情報を位置情報取得部１１に送信する。位置情報取得部１１は、ＲＦＩＤタグの情報および／またはそれに対応づけられる人または物を識別する符号または名称と、検出したＲＦＩＤリーダの位置などを、接触情報検出部１２へ伝える。
【００１８】
ＲＦＩＤリーダは、例えば、事務所の天井または床に所定の間隔でマトリクス状に配置される。例えば、あるＲＦＩＤタグを検出したＲＦＩＤリーダの位置を、そのＲＦＩＤタグの位置とする。複数のＲＦＩＤリーダで同時刻に同じＲＦＩＤタグを検出した場合、例えば、検出した信号の強度が最も大きかったＲＦＩＤリーダの位置情報を採用する。または、同時刻に同じＲＦＩＤタグを検出した複数のＲＦＩＤリーダの重心、あるいはさらに、信号強度を加味した重み付き重心、を位置情報としてもよい。
【００１９】
位置を検出するには、他に、ＧＰＳ（Global Positioning System）を利用したり、移動体通信の基地局で受信する電界強度に基づいて位置を算出する方法を用いることができる。特に、活動の対象が場所である場合は、これらの位置検出の方法でも実用可能である。例えばまた、事務所や倉庫等にカメラを設置しておき、画像認識技術等を用いて、人や物の位置情報を取得してもよい。
【００２０】
図２は、位置情報取得部１１が対象人物または対象物ごとに取得する位置情報の一例である。図２のＵｓｅｒ１、Ｕｓｅｒ２等は対象人物、Ｉｔｅｍ１、Ｉｔｅｍ２等は対象物を表す。位置情報取得部１１は、対象ごとに時刻と位置（Ｘ、Ｙ座標情報）の情報を取得する。ＴＳは、１４桁の数字で時刻を表す。例えば「２００８０３１７０９１５２０」は、「２００８年３月１７日９時１５分２０秒」を表す。ＸとＹはそれぞれ、予め定めた座標系におけるＸ座標とＹ座標の値を示す。
【００２１】
図１の接触情報検出部１２は、位置情報取得部１１が取得した各人物、各物の位置情報から、所定の条件に適合する位置情報の組合わせを接触情報として抽出する。人の位置同士、または人と物の位置同士が、同一時刻に所定の距離にあって、所定の時間以上継続してその距離条件を満たす場合に、その人同士または人と物とが接触したと判断する。また、人の位置が所定の場所である場合に、その人がその場所に接触したと判断する。接触情報検出部１２は、抽出した人同士や人と物との接触情報を、接触情報記憶部１５に記録する。
【００２２】
人と人とが接触したと判断する条件は、例えば、ある人の位置と他の人の位置が、一般的に会話が可能な距離の範囲にあって、一般的に会話が可能な時間以上その状態を継続している場合である。人と物とが接触したと判断する条件は、例えば、ある人の位置とある物の位置が、一般的に人が物を取り扱うことが可能な距離の範囲内にあって、一般的に取り扱うことが可能な時間以上その状態を継続している場合である。
【００２３】
人と物とが接触した（人がその物について活動を行ったと推定しうる）と判断する条件は、例えば、人がある物を所定の時間以上注視したとき、または人がある物に触れたことを検出することでもよい。人の視線を検出するには、例えば、顔の向きを画像または頭部に付けた姿勢センサで検出する。ある物に触れたことは、画像から判定してもよいし、近接センサまたは接触センサ等を物に設置しておいて検出してもよい。
【００２４】
接触したと判断する範囲は、場所によって変わりうる。例えば、一般の事務室では、人同士の距離が１〜２ｍ程度に近くないと接触したと判断できないかもしれない。しかし、会議室では、３〜４ｍの距離でも接触したと判断しても構わないであろう。さらに、会議室に所定の時間以上継続して居たというだけで、その会議室に居た人と接触したと判断できるかもしれない。
【００２５】
接触したと判断するための所定の時間も、場合によって変化する。例えば、一般の事務室では、人同士が近くにいた時間が数分以上に長くないと、接触したと判断できないかもしれない。しかし、通路やリフレッシュルームのような場合には、もっと短い時間でも接触したと判断してよいかもしれない。
【００２６】
行動の対象が場所の場合にも状況によって判断基準は変化しうる。例えば、通常行動する経路にある場所には、中に入らないと接触したと判断できないであろう。しかし、普段行くことがない地域では、その場所の近くに居たことを検出した場合に、その場所に接触したと判断してよいかもしれない。
【００２７】
人同士、または人と物との相対的な距離だけでは、正確な接触情報を検出できない場合があるが、人と物それぞれの位置を検出することによって、場合に応じた適切な接触情報を得ることができる。また、人の位置を検出することによって、人と場所との接触情報を得ることができる。
【００２８】
図３は、人同士または人と物との接触している状態を表す情報の例を示す。例えば、１つ目のレコード（図３の上側の７行）は、２００８年３月１７日の９時１５分２０秒〜９時４５分１０秒の間は、Ｕｓｅｒ１とＵｓｅｒ５が接触、Ｕｓｅｒ２は接触情報なし、Ｕｓｅｒ３はＩｔｅｍ３と接触、Ｕｓｅｒ４は接触情報なし、という情報を表している。また、２つ目のレコード（図３の下側の６行）は、２００８年３月１７日の９時４５分１０秒〜９時５５分３０秒の間は、Ｕｓｅｒ１とＵｓｅｒ５が接触、Ｕｓｅｒ２とＵｓｅｒ４が接触、Ｕｓｅｒ３はＩｔｅｍ３と接触、という情報を表している。
【００２９】
文書入力支援部１３は、ユーザが活動記録文書を作成・編集・追加するための支援情報を、文書作成部１４に提供する。文書入力支援部１３は、活動記録対象取得部１３１と、活動記録生成部１３２と、対象人物活動記録取得部１３３とを備える。
【００３０】
活動記録対象取得部１３１は、文書作成部１４から活動記録を作成する対象の人（ユーザ）を識別する符号と、活動記録の対象の日、時間等の情報を取得する。活動記録作成対象の期間は日で指定するだけでなく、時間、連続する日、週などで、指定できるようにしてもよい。活動記録対象取得部１３１は、接触情報記憶部１５からそのユーザの作成対象日の接触情報を取得する。活動記録対象取得部１３１は、取得した接触情報を活動記録生成部１３２に送る。
【００３１】
活動記録生成部１３２は、それらの接触情報からユーザの活動記録対象日の活動記録として生成する。ここで生成される活動記録は、作成対象日の接触情報を繋げたものであるが、同じ時刻の接触情報をまとめて１つの活動として表す。また、通常は、時間順に接触情報を配列する。
【００３２】
対象人物活動記録取得部１３３は、活動記録対象取得部１３１で取得した接触情報のうち対象が人である接触情報について、その接触の対象である人物（対象人物という）の、同じ接触情報に関する（すなわち、同じ時刻の）活動記録文書が活動記録文書ＤＢ２にあるかどうかを検索する。対象人物の同じ接触情報に関する活動記録文書が活動記録文書ＤＢ２にある場合には、その文書またはそれを指定する情報を取得し、活動記録生成部１３２に伝える。
【００３３】
活動記録生成部１３２は、活動記録に対象人物の活動記録文書（またはその文書を指定する情報）を組み込む。文書入力支援部１３は、活動記録生成部１３２が生成した活動記録を文書作成部１４へ送る。対象人物の活動記録文書を指定する情報を組み込む場合、活動記録は、例えばＨＴＭＬ（Hyper Text Markup Language）で表現されたハイパーテキストである。
【００３４】
ユーザが編集する活動記録文書の記載欄に、他者の活動記録文書を含めて表示することができる。ユーザが活動記録文書を作成する際に、他者の活動記録文書を参照することができる。
【００３５】
文書作成部１４は、ユーザが活動記録文書に追加する情報および／または編集する入力を受け付けて、活動記録文書を編集し、活動記録文書ＤＢ２へ登録する。文書作成部１４は、活動記録文書作成者（ユーザ）に名前と作成対象日の入力を求め、入力された名前に対応する識別情報と対象日時の情報とを文書入力支援部１３へ送る。文書作成部１４は、文書入力支援部１３から対象日時における活動記録を受け取る。
【００３６】
文書作成部１４は、活動記録を表示部４１に表示し、接触情報（活動）ごとに、追加する情報と、編集する入力を受け付ける。ユーザの活動記録に追加する情報と編集する入力が完了すると、文書作成部１４は、編集した活動記録文書を活動記録文書ＤＢ２へ登録する。
【００３７】
ユーザは、活動記録の表示を見て、活動ごとに追加したい情報を入力部４２から入力する。また、追加する活動情報、補正または削除する活動情報（接触情報）があれば、それらの指示を入力する。ユーザは、活動記録作成対象日の記録を見て、その日の活動を思い起こすことができる。例えば、接触した人や物とその時刻の情報を見ることによって、何をしたか、何を考えたかなどを思い起こすことができる。また、その活動を振り返ることによって、何かすべきことを思いつくかもしれない。
【００３８】
さらに、接触した対象人物の活動記録文書を参照できるので、活動記録情報入力の参考にできる。接触した対象人物の活動記録を参照することによって、その活動の記憶がより鮮明によみがえり、補足すべき事項などを思い出すことができる。また、対象人物の活動記録に触発されて、新たな活動へと展開することが期待できる。
【００３９】
なお、位置を検出する物は、活動の対象になりうる物であるが、活動に使用する道具などについて接触情報を検出してもよい。例えば、ホワイトボード、プロジェクタ、コピー機、移動するための機械（自転車、自動車の類）などである。それらとの接触情報を加えることによって、活動の内容を振り返る手がかりになる。
【００４０】
図４は、文書作成部１４が表示する活動記録の一例を示す。例えば、図４の１つ目のレコードは、時間が８時３０分〜９時３０分、対象人物がＵｓｅｒ２、Ｕｓｅｒ３の接触情報と、内容の欄以下に文書を入力する部分を表示している。例えばまた、３つ目のレコードは、時間が１１時３０分〜１２時００分、対象物がＩｔｅｍ５の接触情報と、文書を入力する部分を表している。
【００４１】
図５は、文書作成部１４が表示する既存の活動記録文書を含む活動記録の一例を示す。図５では、図４の接触情報の対象人物が作成した活動記録文書の内容を合わせて表示している。例えば、図５の２つ目のレコードは、時間が９時３０分〜１１時３０分で、対象人物がＵｓｅｒ５の接触情報と、内容の欄にＵｓｅｒ５が作成した文書を表示している。
【００４２】
図６は、活動記録文書ＤＢ２に登録した活動記録文書の保存形式の一例を示す。例えば、１つ目のレコードは、日付が２００８年３月１８日、時間は８時３０分〜９時３０分まで、対象人物Ｕｓｅｒ１、Ｕｓｅｒ３、および各対象人物が入力した文書の内容である。
【００４３】
活動記録文書ＤＢ２は、各ユーザが作成した活動記録文書を保存し、文書入力支援部１３からの要求により、活動記録文書を送信する。活動記録文書ＤＢ２は、文書作成部１４で作成された各ユーザの活動記録文書を受信して登録する。なお、活動記録文書ＤＢ２が保存する情報は、活動記録文書を登録したユーザ以外に、自己の活動記録文書が参照・引用された者や関係者等が閲覧することができるにしてもよい。
【００４４】
ユーザが入力する情報に、公開するか否か、また公開する範囲などの情報を加えてもよい。例えば、対象人物活動記録取得部１３３が対象人物の活動記録を参照するときに、活動記録を作成するユーザに公開が許可された情報のみが、作成する活動記録に取り込まれる。非公開の部分を設けることによって、他者に知られたくないユーザのメモなどを活動記録に記載することができる。
【００４５】
図７は、実施の形態に係る接触情報検出の動作の一例を示すフローチャートである。位置情報取得部１１は、センサ３から人および物の位置情報を取得する（ステップＳ１１）。接触情報検出部１２は、位置情報の中から、接触条件に適合する組み合わせがあるかどうか調べる（ステップＳ１２）。接触条件に適合する位置情報の組み合わせがなければ（ステップＳ１２；ＮＯ）、ステップＳ１１にもどってさらに位置情報を取得する。
【００４６】
接触情報検出部１２は、接触条件に適合する位置情報の組み合わせがあれば（ステップＳ１２；ＹＥＳ）、その組み合わせを接触情報として検出する（ステップＳ１３）。そして、検出した接触情報を接触情報記憶部１５に記憶し（ステップＳ１４）、次の位置情報を取得する。
【００４７】
図８は、実施の形態に係る活動記録文書作成処理の一例を示すフローチャートである。活動記録文書作成者（ユーザ）が、文書作成部１４に自分の名前と活動記録文書作成対象日を入力する（ステップＳ２１）。文書作成部１４は、ユーザの識別符号と作成対象日の情報を文書入力支援部１３へ伝える。
【００４８】
文書入力支援部１３の活動記録対象取得部１３１は、文書作成部１４からユーザの識別符号と作成対象日とを取得すると、接触情報検出部１２が保存している接触情報のなかから、作成対象日におけるユーザの接触情報を検索して取得する（ステップＳ２２）。活動記録生成部１３２は、取得した接触情報から作成対象日の活動記録を生成する（ステップＳ２３）。
【００４９】
対象人物活動記録取得部１３３は、活動記録文書ＤＢ２の情報を検索して、ユーザと接触していた人物が、接触していた時間に関する活動記録文書を作成しているかを判断する（ステップＳ２４）。ユーザと接触していた人物が、接触していた時間に関する文書を作成している場合には（ステップＳ２４；ＹＥＳ）、対象人物活動記録取得部１３３が、活動記録文書ＤＢ２から他者が作成した文書を取得する。活動記録生成部１３２は、ユーザの接触情報の対象人物が作成した文書を、活動記録の内容欄に取り込む（ステップＳ２５）。
【００５０】
ユーザと接触していた人物が、接触していた時間に関する活動記録文書を作成していない場合（ステップＳ２４；ＮＯ）は、対象人物の活動記録を取り込まずに、あるいは対象人物の活動記録文書を内容欄に取り込んだのちに（ステップＳ２５）、文書入力支援部１３は活動記録を文書作成部１４へ伝える。文書作成部１４は、受信した活動記録を編集部４の表示部４１で表示する。
【００５１】
文書作成部１４は、ユーザが活動記録の表示を見て編集部４の入力部４２から入力する、活動記録に追加する情報の入力と活動記録の編集の入力を受け付ける（ステップＳ２６）。ユーザの活動記録文書の編集が終わると、文書作成部１４は、活動記録文書を活動記録文書ＤＢ２に登録する（ステップＳ２７）。
【００５２】
なお、一旦編集して登録した活動記録文書は、それで完結固定されるわけではなく、後に再度編集することも可能である。登録した活動記録文書を再度編集する場合は、その時点までに新たに登録された対象人物の活動記録文書があれば、それを取り込んで表示してもよい。このようにして、活動記録文書をブラッシュアップすることができる。
【００５３】
以上説明したように、本実施の形態に係る活動記録作成システムによれば、人や物の位置情報を取得して、人と人または人と物との接触情報を検出し、接触情報を基に活動記録を生成するので、作成者（ユーザ）が活動記録を作成する際の記録漏れを防止できる。また、活動記録作成者が活動記録文書を作成する際に、接触していた対象人物がその接触情報に関する活動記録文書を作成していた場合には、対象人物が作成した活動記録文書を活動記録に取り込んで、修正・追加等の編集を行えるので、活動記録文書作成に要する時間（コスト）を低減することができる。
【００５４】
また、同じ活動に関わる複数人で、１つの活動記録を作成することも可能である。分担して活動記録を作成することによって、活動記録文書作成に要する労力を低減できる。
【００５５】
さらに、登録した活動記録文書を再度編集する場合に、その時点までに新たに登録された対象人物の活動記録文書があれば、それを取り込んで表示することができる。編集する時点までに登録された対象人物の活動記録文書を参照できるので、活動記録文書をブラッシュアップすることができる。
【００５６】
また、接触情報に付随して、その場で録音された音声、またはその状況を撮影した画像もしくは映像を、接触情報に関連して記憶してもよい。その場合、活動記録を編集するときに、接触情報に関連する音声、画像または映像を、ユーザの指令によって再生、または表示することができる。ユーザは接触情報に関連する音声を聞いたり、画像または映像をみることによって活動内容を振り返ることができる。
【００５７】
なお、活動記録に追加する情報は、テキストデータに限らない。録音した音響、画像または映像などを活動記録に含めてもよい。その場合、活動記録文書は、ＨＴＭＬ（Hyper Text Markup Language）などで表現され、音声、画像または映像のファイルが関連付けられる。
【００５８】
（実施の形態の変形１）
実施の形態の変形として、人や物の定位置を検知して、人または物が定位置にある場合に、その位置情報を接触情報に含めない構成がある。接触情報検出部１２は、実施の形態の機能に加え、位置情報から各人物、各物が各座標ごとに滞在する時間を算出する。接触情報検出部１２は、１日の内で最も長い時間滞在する位置を、人または物が通常存在する定位置として検出する。人の場合には、定位置とする範囲を限定してもよい。例えば、ある日に一日中会議した場合でも、会議室を定位置とはしない。
【００５９】
接触情報検出部１２は、人と人または人と物の双方が定位置にある場合には、これら定位置にある位置情報の組み合わせを接触情報から除外する。定位置にある人同士、または人と物の位置情報の組み合わせを接触情報から除くので、活動記録に含める必要のない情報が誤って接触情報に含まれることを防ぐことができる。変形１の構成によって、活動記録としてより適切な接触情報を取得できる。
【００６０】
（実施の形態の変形２）
実施の形態の変形２は、人が遠隔通信を行っていることを検知して、通信相手の情報を含む接触情報を取得する構成である。接触情報検出部１２は、実施の形態の機能に加え、遠隔通信を行う装置の設置場所の位置情報を保持し、位置情報取得部１１から人物が遠隔通信を行える座標に位置し、所定の時間以上その位置に存在する場合には、通信相手の通信装置設置場所に位置する人物の情報を取得して、接触情報検出部１２で通信相互の人物位置情報を対応付けて、接触情報に加える機能を備える。
【００６１】
例えば、接触情報検出部１２は、テレビ会議室の位置情報を保持し、位置情報取得部１１から取得した人の位置がテレビ会議室に含まれる場合には、その人をテレビ会議室にいた人として検出する。位置情報取得部１１は、テレビ会議室の範囲に人の位置情報がある場合に、通信情報を調べ、通信をしている場合には、通信相手先のテレビ会議室を特定する。通信先のテレビ会議室にも位置情報取得部１１が設置している場合には、通信先テレビ会議室の範囲内にいる人の位置情報を取得する。接触情報検出部１２は、通信元および通信先のテレビ会議室に設置した双方の位置情報取得部１１が取得した人の位置情報を全て対応付けて、接触情報を検出する。
【００６２】
以上説明したように、実施の形態の変形２では、遠隔通信装置を使ってテレビ会議等を行っている人同士の位置情報を、会議室等で会議している人同士の位置情報と同様に取り扱うことができる。遠隔通信を行っている場合を接触情報とし、さらに通信相手を活動の対象に含めることができる。その結果、作成者が活動記録文書の作成する際に、通信相手の記載漏れを防止することができる。
【００６３】
（実施の形態の変形３）
実施の形態の変形３は、人と物または場所が所定の関係にある場合に、その人と、その物またはその場所と関係があった他の人とを関連づけて接触情報を検出する構成である。接触情報検出部１２は、実施の形態の機能に加え、１つの物または１つの場所に対して、複数の人が接触していた場合に、それぞれの接触時間が異なっていても、その人同士を対応付けて接触情報を生成する機能を備える。
【００６４】
例えば、２人が同じ書籍に対して、異なった日に接触していた接触情報がある場合に、２人は同じ書籍を読んだと判断できる。２人は、直接接触していないが、同じ書籍を読む活動を行っており、１つの物である書籍に接触した人物として対応付けを行う。例えばまた、イベント会場等、特定の場所への訪問自体が活動記録文書の記録対象となるような場合に、２人が異なる時間に同じ会場を訪れた情報がある場合に、２人は同じ会場を訪れたと判断することができる。２人は、直接接触していないが、同じ会場を訪れる活動を行っており、同じ会場を訪れて接触した人物として対応付けを行う。
【００６５】
イベント会場など、特定の場所への訪問自体が活動記録文書の記録対象となるような場所で実施する場合、接触情報検出部１２は、イベント会場の各ブースの位置情報を保持し、位置情報取得部１１から取得した人物の位置情報と各ブースの位置情報とのマッチングを行う。そして、同じ活動を行っているかという視点から、同じブースにマッチした人物同士を接触していたと見なし、対応付けを行う機能を有する。これによって、異なる時間に同じブースに行った（人物が直接接触してない）場合でも、同じブースに関する他人の活動記録文書を利用することが可能である。
【００６６】
文書入力支援部１３は、活動記録を生成するときに、同じ物または場所について活動した人を、直接の活動の対象人物と同様に扱って、その人（間接対象人物という）の同じ対象に関する活動記録文書を検索して、活動記録に取り込む。これによって、ユーザは、誰がその対象に関する活動を行ったかを知ることができる。また、間接対象人物の同じ対象に関する活動記録文書に情報が入力されている場合は、その内容を参照することができる。
【００６７】
以上説明したように、実施の形態の変形３では、異なる時間に同じ対象について活動をした人同士を関連づけることで、後に活動記録文書を編集する者は、同じ対象について活動した人を知ることができる。その結果、知識の関連を広げ、また、新たな活動の展開が期待できる。
【００６８】
図９は、図１に示す活動記録文書作成システム１のハードウェア構成の一例を示すブロック図である。活動記録文書作成システム１は、図９に示すように、制御部２１、主記憶部２２、外部記憶部２３、操作部２４、表示部２５、入出力部２６および送受信部２７を備える。主記憶部２２、外部記憶部２３、操作部２４、表示部２５、入出力部２６および送受信部２７はいずれも内部バス２０を介して制御部２１に接続されている。
【００６９】
制御部２１はＣＰＵ（Central Processing Unit）等から構成され、外部記憶部２３に記憶されている制御プログラム３０に従って、活動記録文書作成システム１の位置情報取得部１１、接触情報検出部１２、文書入力支援部１３および文書作成部１４の各処理を実行する。
【００７０】
主記憶部２２はＲＡＭ（Random-Access Memory）等から構成され、外部記憶部２３に記憶されている制御プログラム３０をロードし、制御部２１の作業領域として用いられる。
【００７１】
外部記憶部２３は、フラッシュメモリ、ハードディスク、ＤＶＤ−ＲＡＭ（Digital Versatile Disc Random-Access Memory）、ＤＶＤ−ＲＷ（Digital Versatile Disc ReWritable）等の不揮発性メモリから構成され、活動記録文書作成システム１の処理を制御部２１に行わせるためのプログラムを予め記憶し、また、制御部２１の指示に従って、このプログラムが記憶するデータを制御部２１に供給し、制御部２１から供給されたデータを記憶する。図１の接触情報記憶部１５は、外部記憶部２３に構成される。
【００７２】
操作部２４はキーボード及びマウスなどのポインティングデバイス等と、キーボード及びポインティングデバイス等を内部バス１０に接続するインターフェース装置から構成されている。操作部２４を介して、接触情報の判定条件などが入力され、制御部２１に供給される。図１の編集部４が活動記録作成システム１に含まれる構成では、操作部２４が入力部４２の場合がある。
【００７３】
表示部２５は、ＣＲＴ（Cathode Ray Tube）又はＬＣＤ（Liquid Crystal Display）などから構成され、位置検出する対象の登録された人および物の情報や、位置情報、接触情報などを表示する。図１の編集部４が活動記録作成システム１に含まれる構成では、表示部２５が表示部４１の場合がある。
【００７４】
入出力部２６は、シリアルインタフェースまたはパラレルインタフェースから構成されている。入出力部２６は、編集部４が附属する装置の場合は、それと接続する。入出力部２６は、ＲＦＩＤリーダなどのセンサ３と接続する。入出力部２６には、位置を検出するための画像入力装置１９などを接続してもよい。また、接触情報に音声、画像または映像などの情報を関連づけて記憶する場合に、それらの音声入力装置、画像入力装置などと接続する。
【００７５】
送受信部２７は、ネットワークに接続する網終端装置または無線通信装置、及びそれらと接続するシリアルインタフェース又はＬＡＮ（Local Area Network）インタフェースから構成されている。送受信部２７は、ネットワークを介して、活動記録文書ＤＢ２に対象人物の活動記録を検索するデータ、または、登録する活動記録文書を送信し、また、活動記録文書を受信する。編集部４が、活動記録文書作成システム１とは別の端末装置の場合は、例えば、送受信部２７を介して、ネットワークを経由して、編集部４に接続する。
【００７６】
図１に示す活動記録文書作成システム１の位置情報取得部１１、接触情報検出部１２、文書入力支援部１３および文書作成部１４の処理は、制御プログラム３０が、制御部２１、主記憶部２２、外部記憶部２３、操作部２４、表示部２５、入出力部２６および送受信部２７などを資源として用いて処理することによって実行する。
【００７７】
その他、本発明の好適な変形として、以下の構成が含まれる。
【００７８】
本発明の第１の観点に係る活動記録作成システムについて、
好ましくは、
前記活動記録を変更するデータを入力する編集入力手段を備え、
前記活動記録生成手段は、前記編集入力手段で入力されたデータを前記活動記録に加えることを特徴とする。
【００７９】
好ましくは、前記位置情報取得手段は、人または物の通常存在する位置を検出し、
前記接触情報検出手段は、人とその活動の対象が人同士または人と物のそれぞれの場合に、それらに関わる両者がともに通常存在する位置にある場合に、その位置情報を前記接触情報の対象から除外することを特徴とする。
【００８０】
好ましくは、人が遠隔通信を行っていることと、その通信の相手を検出する通信取得手段を備え、
前記接触情報検出手段は、前記通信取得手段で検出した人とその遠隔通信の相手とを前記接触情報として検出することを特徴とする。
【００８１】
好ましくは、前記接触情報検出手段は、人とその活動の対象である物または場所とが所定の関係にある場合に、その活動の対象と所定の関係にあった人と、前記活動の対象と所定の関係にある人とを関連づける前記接触情報を検出することを特徴とする。
【００８２】
好ましくは、前記接触情報検出手段は、前記活動の対象が人である場合に、人と人とが会話が可能な状態であって、その会話が可能な状態が所定の時間以上継続した場合に、その人と人との前記接触情報を検出することを特徴とする。
【００８３】
好ましくは、前記接触情報検出手段は、前記活動の対象が物である場合に、人の視線の方向がその物の方に所定の時間以上継続して向いたことを検出した場合、または人がその物に触れたことを検出した場合に、その人とその物との前記接触情報を検出することを特徴とする。
【００８４】
好ましくは、前記接触情報検出手段は、前記活動の対象が場所である場合に、人がその場所に入ったことを検出した場合、または人がその場所の所定の近傍に所定の時間以上継続して居ることを検出した場合に、その人とその場所との前記接触情報を検出することを特徴とする。
【００８５】
本発明の第２の観点に係る活動記録作成方法について、
好ましくは、
前記活動記録を変更するデータを入力する編集入力ステップを備え、
前記活動記録生成ステップは、前記編集入力ステップで入力されたデータを前記活動記録に加えることを特徴とする。
【００８６】
好ましくは、前記位置情報取得ステップは、人または物の通常存在する位置を検出し、
前記接触情報検出ステップは、人とその活動の対象が人同士または人と物のそれぞれの場合に、それらに関わる両者がともに通常存在する位置にある場合に、その位置情報を前記接触情報の対象から除外することを特徴とする。
【００８７】
好ましくは、人が遠隔通信を行っていることと、その通信の相手を検出する通信取得ステップを備え、
前記接触情報検出ステップは、前記通信取得ステップで検出した人とその遠隔通信の相手とを前記接触情報として検出することを特徴とする。
【００８８】
好ましくは、前記接触情報検出ステップは、人とその活動の対象である物または場所とが所定の関係にある場合に、その活動の対象と所定の関係にあった人と、前記活動の対象と所定の関係にある人とを関連づける前記接触情報を検出することを特徴とする。
【００８９】
好ましくは、前記接触情報検出ステップは、前記活動の対象が人である場合に、人と人とが会話が可能な状態であって、その会話が可能な状態が所定の時間以上継続した場合に、その人と人との前記接触情報を検出することを特徴とする。
【００９０】
好ましくは、前記接触情報検出ステップは、前記活動の対象が物である場合に、人の視線の方向がその物の方に所定の時間以上継続して向いたことを検出した場合、または人がその物に触れたことを検出した場合に、その人とその物との前記接触情報を検出することを特徴とする。
【００９１】
好ましくは、前記接触情報検出ステップは、前記活動の対象が場所である場合に、人がその場所に入ったことを検出した場合、または人がその場所の所定の近傍に所定の時間以上継続して居ることを検出した場合に、その人とその場所との前記接触情報を検出することを特徴とする。
【００９２】
その他、前記のハードウエア構成やフローチャートは一例であり、任意に変更および修正が可能である。
【００９３】
位置情報取得部１１、接触情報検出部１２、文書入力支援部１３、文書作成部１４、活動記録文書ＤＢ２等から構成される活動記録作成処理を行う中心となる部分は、専用のシステムによらず、通常のコンピュータシステムを用いて実現可能である。たとえば、前記の動作を実行するためのコンピュータプログラムを、コンピュータが読みとり可能な記録媒体（フレキシブルディスク、ＣＤ−ＲＯＭ、ＤＶＤ−ＲＯＭ等）に格納して配布し、当該コンピュータプログラムをコンピュータにインストールすることにより、前記の処理を実行する活動記録作成システムを構成してもよい。また、インターネット等の通信ネットワーク上のサーバ装置が有する記憶装置に当該コンピュータプログラムを格納しておき、通常のコンピュータシステムがダウンロード等することで活動記録作成システムを構成してもよい。
【００９４】
また、活動記録作成システムを、ＯＳ（オペレーティングシステム）とアプリケーションプログラムの分担、またはＯＳとアプリケーションプログラムとの協働により実現する場合等には、アプリケーションプログラム部分のみを記録媒体や記憶装置に格納してもよい。
【００９５】
また、搬送波にコンピュータプログラムを重畳し、通信ネットワークを介して配信することも可能である。たとえば、通信ネットワーク上の掲示板(BBS, Bulletin Board System)に前記コンピュータプログラムを掲示し、ネットワークを介して前記コンピュータプログラムを配信してもよい。そして、このコンピュータプログラムを起動し、ＯＳの制御下で、他のアプリケーションプログラムと同様に実行することにより、前記の処理を実行できるように構成してもよい。
【図面の簡単な説明】
【００９６】
【図１】本発明の実施の形態に係る活動記録作成システム全体の構成例を示すブロック図である。
【図２】位置情報取得部が対象人物または対象物ごとに取得する位置情報の一例である。
【図３】人同士または人と物との接触している状態を表す情報の例を示す図である。
【図４】文書作成部が表示する活動記録の一例を示す図である。
【図５】文書作成部が表示する既存の活動記録文書を含む活動記録の一例を示す図である。
【図６】活動記録文書ＤＢに登録した活動記録文書の保存形式の一例を示す図である。
【図７】実施の形態に係る接触情報検出の動作の一例を示すフローチャートである。
【図８】実施の形態に係る活動記録文書作成処理の一例を示すフローチャートである。
【図９】活動記録文書作成システム１のハードウェア構成の一例を示すブロック図である。
【符号の説明】
【００９７】
１  活動記録文書作成システム
２  活動記録文書ＤＢ
３  センサ
４  編集部
１１  位置情報取得部
１２  接触情報検出部
１３  文書入力支援部
１４  文書作成部
１５  接触情報記憶部
２１  制御部
２２  主記憶部
２３  外部記憶部
２４  操作部
２５  表示部
２６  入出力部
２７  送受信部
３０  制御プログラム
１３１  活動記録対象取得部
１３２  活動記録生成部
１３３  対象人物活動記録取得部
【図１】
2010026688.tif 000003
【図２】
2010026688.tif 000004
【図３】
2010026688.tif 000005
【図４】
2010026688.tif 000006
【図５】
2010026688.tif 000007
【図６】
2010026688.tif 000008
【図７】
2010026688.tif 000009
【図８】
2010026688.tif 000010
【図９】
2010026688.tif 000011